(57)【要約】【課題】本発明は、液晶パネル等の表示部に絵や模様、写真、文字等の映像を表示させ、それをネックレスやブレスレット、ネクタイピン、イヤリングなどの装身具の一部とすることができる表示部付き装身具を得るにある。【解決手段】絵や模様、写真、文字等の映像を表示できる表示部と、その表示部に記憶しておいた絵等の映像を表示させる映像記憶・表示装置と、電気を供給する電源と、それらを取り付けることができる本体と、その本体に取り付けて身に装おうことができるチェーン、駒、ピン、ベルト、クリップ等の装身部品とで表示部付き装身具を構成している。【選択図】　図１
2004121767.tif 000002
【特許請求の範囲】
【請求項１】
絵や模様、写真、文字等の映像を表示できる表示部と、その表示部に記憶しておいた絵等の映像を表示させる映像記憶・表示装置と、電気を供給する電源と、それらを取り付けることができる本体と、その本体に取り付けて身に装おうことができるチェーン、駒、ピン、ベルト、クリップ等の装身部品とからなることを特徴とする表示部付き装身具。
【請求項２】
絵や模様、写真、文字等の映像を表示できる表示部と、その表示部に記憶しておいた絵等の映像を表示させる映像記憶・表示装置と、その映像記憶・表示装置に新たな映像情報を外部から有線もしくは無線で入力することができる映像情報入力装置と、電気を供給する電源と、それらを取り付けることができる本体と、その本体に取り付けて身に装おうことができるチェーン、駒、ピン、ベルト、クリップ等の装身部品とからなることを特徴とする表示部付き装身具。
【請求項３】
本体に取付けることができ音を記憶してその音を出す音記憶・発生装置とからなることを特徴とする請求項１、２記載の表示部付き装身具。
【請求項４】
音記憶・発生装置に、新たな音情報を外部から有線もしくは無線で入力することができる音情報入力装置とからなることを特徴とする請求項３記載の表示部付き装身具。
【発明の詳細な説明】
【０００１】
【発明の属する技術分野】
本発明は、表示部付き装身具に関するものである。
【０００２】
【従来の技術】
従来、ネックレス、ブレスレットなどの装身具に、表示部を取り付け、時計や月日などを表示させたものはあったが、宝石や金貨、貴金属等の代わりに、表示部に絵や模様、写真、文字等の映像を表示させ、それを装身具の一部としたものはなかった。また、特開２００１−３４９９６８には、腕周りに方向に沿った時計本体又は、コマの側面又は内面に表示部を設けているが、あくまでも使用者が表示部を見るものであり、他人に表示部を見せるものではない。また、表示部も時計本体とコマの側面又は内面に限っている。
【０００３】
【発明が解決しようとする課題】
従来の、液晶パネル等の表示部は映像表示が綺麗にもかかわらず、表示部に絵や模様、写真、文字等の映像を表示させ、それをネックレスやブレスレット、ネクタイピン、イヤリングなどの装身具の一部としたものはなかった。
【０００４】
本発明は以上のような従来の欠点に鑑み、液晶パネル等の表示部に絵や模様、写真、文字等の映像を表示させ、それをネックレスやブレスレット、ネクタイピン、イヤリングなどの装身具の一部とする表示部付き装身具を提供することを目的としている。
【０００５】
本発明の、前記ならびにそのほかの目的と新規な特徴は次の説明を添付図面と照らし合わせて読むと、より明らかになるであろう。
ただし、図面はもっぱら解説のためのものであって、本発明の技術範囲を限定するものではない。
【０００６】
【課題を解決するための手段】
上記目的を達成するために、請求項１記載の発明は、絵や模様、写真、文字等の映像を表示できる表示部と、その表示部に記憶しておいた絵等の映像を表示させる映像記憶・表示装置と、電気を供給する電源と、それらを取り付けることができる本体と、その本体に取り付けて身に装おうことができるチェーン、駒、ピン、ベルト、クリップ等の装身部品とで表示部付き装身具を構成している。
【０００７】
請求項２記載の発明は、絵や模様、写真、文字等の映像を表示できる表示部と、その表示部に記憶しておいた絵等の映像を表示させる映像記憶・表示装置と、その映像記憶・表示装置に新たな映像情報を外部から有線もしくは無線で入力することができる映像情報入力装置と、電気を供給する電源と、それらを取り付けることができる本体と、その本体に取り付けて身に装おうことができるチェーン、駒、ピン、ベルト、クリップ等の装身部品とで表示部付き装身具を構成している。
【０００８】
請求項３記載の発明は、請求項１、２に係わる発明であり、本体に取付けることができる、音を記憶してその音を出す音記憶・発生装置とで表示部付き装身具を構成している。
【０００９】
請求項４記載の発明は、請求項３に係わる発明であり、音記憶・発生装置に、新たな音情報を外部から有線もしくは無線で入力することができる音情報入力装置とで表示部付き装身具を構成している。
【００１０】
【発明の実施の形態】
以下、図面に示す実施の形態により、本発明を詳細に説明する。
【００１１】
図１ないし図６に示す本発明の第１の実施形態において、１は絵や模様、写真、文字等の映像を表示できる有機発光素子、発光ダイオード、液晶、蛍光表示管等の表示パネルを用いた表示部で、その表示部１に記憶しておいた絵等の映像を表示させる映像記憶・表示装置２と、その映像記憶・表示装置２に記憶しておいたいくつかの映像から任意に１つ選択し表示できる映像選択スイッチ２ａと、それらに電気を供給するバッテリーや太陽電池等の電源３と、その電源３から供給する電気をオンオフできる電源スイッチ３ａと、それらを取り付けることができる本体４と、その本体４に取り付けて身に装おうことができるチェーン、駒、ピン、ベルト、クリップ等の装身部品５とから構成されている。
【００１２】
上記構成の表示部付き装身具６を使用する場合、表示部付き装身具６を身につけ電源スイッチ３ａをオンにすると、表示部１に絵や模様、写真、文字等の映像が表示される。表示される映像を任意に選択したいときは映像選択スイッチ２ａにより行える。なお、この映像選択スイッチ２ａは、表示部をタッチするタッチパネル方法でも良い。
したがって、表示部に宝石や金貨、貴金属等とは異なった綺麗な映像が表示され、今までと違ったお洒落が楽しめる。また、表示部に宝石や金貨、貴金属等の映像を表示すれば、あたかもそれらを身につけているようにも見えるうえ、価格も安く済む。また、動きのある映像を表示すればスポーティに見え、七色に変化する映像を表示すれば艶やかに見える。
表示部に季節や、ＴＰＯ、服装に合わせてデザインや色を変えた映像を表示することができるので、一つの装身具で何種類にも使うことができる。
【００１３】
【発明の異なる実施の形態】
次に、図７ないし図１２に示す本発明の異なる実施の形態について説明する。なお、これらの本発明の異なる実施の形態の説明に当たって、前記本発明の第１の実施の形態と同一構成部分には同一符号を付して重複する説明を省略する。
【００１４】
図７および図８に示す本発明の第２の実施形態において、前記本発明の第１の実施の形態と主に異なる点は、映像記憶・表示装置２に新たな映像情報を外部のパソコンなどの電子機器から、有線で入力することができる映像情報入力装置７と、それの映像情報入力端子７ａを取付けた点で、このように構成した表示部付き装身具６Ａにしても、前記本発明の第１の実施の形態と同様な作用効果が得られるとともに、新しいデザイン絵や模様、写真、文字等の映像情報を入力し表示できるので、より多くの映像バリエーションを楽しむことができる。
なお、映像情報入力装置７に映像情報を入力する方法は、映像情報入力端子７ａを使わずに無線でもよい。
【００１５】
図９および図１０に示す本発明の第３の実施形態において、前記本発明の第１、２の実施の形態と主に異なる点は、音を出すことができる音記憶・発生装置８と、スピーカー８ａを本体４に取付けた点で、このように構成した表示部付き装身具６Ｂにしても、前記本発明の第１、２の実施の形態と同様な作用効果が得られるとともに、音楽や音声などの音を出せるので他人の目を引きつけることができるともに、身に付ける人も心地よい音楽や音声などの音を聞くことができる。また、季節やＴＰＯ、服装に合わせた音を発生させることもでき、一つの装身具で何種類にも使うことができる。
【００１６】
図１１および図１２に示す本発明の第４の実施形態において、前記本発明の第１〜３の実施の形態と主に異なる点は、音記憶・発生装置８に新たな音情報を外部のパソコン、オーディオなどの電子機器から、有線で入力することができる音情報入力装置９と、それの音情報入力端子９ａを取付けた点で、このように構成した表示部付き装身具６Ｃにしても、前記本発明の第１〜３の実施の形態と同様な作用効果が得られるとともに、新たな音情報を入力できるので、より多くの音のバリエーションを楽しむことができる。
なお、音声情報入力装置９に音声情報を入力する方法は、音声情報入力端子９ａを使わずに無線でもよい。
【００１７】
【発明の効果】
以上の説明から明らかなように、本発明にあたっては次に列挙する効果が得られる。
【００１８】
（１）請求項１記載の発明は、絵や模様、写真、文字等の映像を表示できる表示部と、その表示部に記憶しておいた絵等の映像を表示させる映像記憶・表示装置と、電気を供給する電源と、それらを取り付けることができる本体と、その本体に取り付けて身に装おうことができるチェーン、駒、ピン、ベルト、クリップ等の装身部品とで構成されているので、表示部に宝石や金貨、貴金属等とは異なった綺麗な映像が表示され、今までと違ったお洒落が楽しめる。
【００１９】
（２）前記（１）によって、表示部に宝石や金貨、貴金属等の映像を表示すれば、あたかもそれらを身につけているようにも見えるうえ、価格も安く済む。
【００２０】
（３）前記（１）によって、表示部に動きのある映像を表示すればスポーティに見え、七色に変化する映像を表示すれば艶やかに見える。
【００２１】
（４）前記（１）によって、表示部に季節や、ＴＰＯ、服装に合わせてデザインや色を変えた映像を表示することができるので、一つの装身具で何種類にも使うことができる。
【００２２】
（５）請求項２記載の発明は、絵や模様、写真、文字等の映像を表示できる表示部と、その表示部に記憶しておいた絵等の映像を表示させる映像記憶・表示装置と、その映像記憶・表示装置に新たな映像情報を外部から有線もしくは無線で入力することができる映像情報入力装置と、電気を供給する電源と、それらを取り付けることができる本体と、その本体に取り付けて身に装おうことができるチェーン、駒、ピン、ベルト、クリップ等の装身部品とで構成されているので、前記（１）〜（４）と同様な効果が得られるとともに、新しいデザイン絵や模様、写真、文字等の映像情報を入力し表示できるので、より多くの映像バリエーションを楽しむことができる。
【００２３】
（６）請求項３記載の発明は、請求項１、２に係わる発明であり、本体に取付けることができる、音を記憶してその音を出す音記憶・発生装置とで構成されているので、前記（１）〜（５）と同様な効果が得られるとともに、音楽や音声などの音を出せるので、他人の目引きつけることができるともに、身に付ける人も心地よい音楽や音声などの音を聞くことができる。また、季節やＴＰＯ、服装に合わせた音を発生させることもできるので、一つの装身具で何種類にも使うことができる。
【００２４】
（７）請求項４記載の発明は、請求項３に係わる発明であり、音記憶・発生装置に、新たな音情報を外部から有線もしくは無線で入力することができる音情報入力装置とで構成されているので、前記（１）〜（６）と同様な効果が得られるとともに、新たな音情報を入力できるので、より多くの音のバリエーションを楽しむことができる。
【００２５】
（８）したがって、表示部に表示される映像により、人目に付くお洒落な装身具になる。また、表示部に表示される映像も季節やＴＰＯ、服装に合わせて変えることができる。また、音を発生させることにより、さらに人目に付く装身具になり、音も季節やＴＰＯ、服装に合わせて変えることができる。一つの装身具で何通りものお洒落を楽しむことができる。
【図面の簡単な説明】
【図１】本発明の、第１の実施の形態の斜視図。
【図２】図１の、Ａ−Ａ線に沿う断面図。
【図３】本発明の、第１の実施の形態の斜視図。
【図４】図３の、Ｂ−Ｂ線に沿う断面図。
【図５】本発明の、第１の実施の形態の斜視図。
【図６】図５の、Ｃ−Ｃ線に沿う断面図。
【図７】本発明の、第２の実施の形態の斜視図。
【図８】図７の、Ｄ−Ｄ線に沿う断面図。
【図９】本発明の、第３の実施の形態の斜視図。
【図１０】図９の、Ｅ−Ｅ線に沿う断面図。
【図１１】本発明の、第４の実施の形態の斜視図。
【図１２】図１１の、Ｆ−Ｆ線に沿う断面図。
【符号の説明】
１：表示部
２：映像記憶・表示装置
２ａ：映像選択スイッチ
３：電源
３ａ：電源スイッチ
４：本体
５：装身部品
６、６Ａ、６Ｂ、６Ｃ：表示部付き装身具
７：映像情報入力装置
７ａ：映像情報入力端子
８：音記憶・発生装置
８ａ：スピーカー
９：音情報入力装置
９ａ：音情報入力端子
【図１】
2004121767.tif 000003
【図２】
2004121767.tif 000004
【図３】
2004121767.tif 000005
【図４】
2004121767.tif 000006
【図５】
2004121767.tif 000007
【図６】
2004121767.tif 000008
【図７】
2004121767.tif 000009
【図８】
2004121767.tif 000010
【図９】
2004121767.tif 000011
【図１０】
2004121767.tif 000012
【図１１】
2004121767.tif 000013
【図１２】
2004121767.tif 000014